(57)【要約】【課題】被写体に対し照明光を照射する側壁と、当該側壁の一部分に開口部とを備えた写真スタジオ装置において、装置外部の写りこみと外部からの光により被写体への照射を防止し、且つ、違和感のない安定した品質の写真を撮影することが可能な写真スタジオ装置を提供する。【解決手段】撮影空間（撮影空間Ｓ）を構成する側壁（右側壁１、左側壁２、後部壁３、前部壁４）に照明手段（蛍光灯１２、蛍光灯２２、蛍光灯３２、蛍光灯４２）が設けられ、前記側壁の一部に前記撮影空間の内外に通じる開口部（開口部Ｅ）が形成され、前記撮影空間の外部に、前記開口部に面し、且つ当該開口部との間に所定の間隔をおいて衝立（衝立７）が設置される。【選択図】図１
2006349919.tif 000002
【特許請求の範囲】
【請求項１】
撮影空間を構成する側壁に照明手段が設けられ、前記側壁の一部に前記撮影空間の内外に通じる開口部が形成され、
前記撮影空間の外部に、前記開口部に面し、且つ当該開口部との間に所定の間隔をおいて衝立が設置されていることを特徴とする写真スタジオ装置。
【請求項２】
前記衝立の面積は、前記開口部の面積以上であることを特徴とする請求項１に記載の写真スタジオ装置。
【請求項３】
前記衝立と開口部との間の間隔は、当該開口部の開口幅以下であることを特徴とする請求項１又は２に記載の写真スタジオ装置。
【請求項４】
前記衝立は、前記側壁と同一の基材で形成されていることを特徴とする請求項１〜３の何れか一項に記載の写真スタジオ装置。
【請求項５】
前記衝立の色は、前記側壁の色と同系色であることを特徴とする請求項１〜４の何れか一項に記載の写真スタジオ装置。
【請求項６】
前記衝立に照明手段が設けられたことを特徴とする請求項１〜５の何れか一項に記載の写真スタジオ装置。
【請求項７】
前記衝立に設けられた照明手段から照射される照明光の発光色は、前記側壁に設けられた照明手段から照射される照明光の発光色と同系色であることを特徴とする請求項６に記載の写真スタジオ装置。
【請求項８】
前記衝立が、着脱自在に設置されていることを特徴とする請求項１〜７の何れか一項に記載の写真スタジオ装置。
【請求項９】
前記衝立が、前記側壁と一体に設置されていることを特徴とする請求項１〜７の何れか一項に記載の写真スタジオ装置。
【発明の詳細な説明】
【技術分野】
【０００１】
本発明は、写真スタジオ装置に関する。
【背景技術】
【０００２】
従来より、人物を被写体として写真撮影するための写真スタジオとして様々なものが知られている。例えば、写真スタジオを構成する右側壁面、左側壁面及び天井壁面を発光面とする装置が提案されている（例えば、特許文献１参照）。
【０００３】
ところで、被写体が乳幼児の場合には一般に撮影が儘ならず、自由に動き回ったりするため、被写体に適切な照明光を与えることができない場合がある。そのため、特許文献１の装置内に被写体となる乳幼児を収容することで適切な照明光を与え、撮影を行うことが考えられる。
【特許文献１】特開２００５−３１５１１号公報
【発明の開示】
【発明が解決しようとする課題】
【０００４】
しかしながら、特許文献１の装置では、写真スタジオを構成する壁面の開口部（例えば、前部壁又は後部壁）が存在するため、装置外部からの光が写真スタジオ内に侵入することになる。そのため、被写体となる乳幼児が開口部近傍に位置する際に撮影が行われた場合には、装置外部の風景が写りこんでしまうという問題があり、違和感のある写真となる可能性がある。また、撮影位置を変更することにより、装置外部の風景が写りこまないよう撮影を行うことも考えられるが、シャッターチャンスを逃す等効率的な撮影を妨げるという問題がある。また、朝や昼、夕方、夜等のように時間帯により装置外部から差し込んで来る光により装置内部の色温度が変化してしまうという問題がある。
【０００５】
本発明の課題は、被写体に対し照明光を照射する側壁と、当該側壁の一部分に開口部とを備えた写真スタジオ装置において、装置外部の写りこみと外部からの光により被写体への照射を防止し、且つ、違和感のない安定した品質の写真を撮影することが可能な写真スタジオ装置を提供することである。
【課題を解決するための手段】
【０００６】
上記課題を解決するために、請求項１に記載の発明は、
撮影空間を構成する側壁に照明手段が設けられ、前記側壁の一部に前記撮影空間の内外に通じる開口部が形成され、
前記撮影空間の外部に、前記開口部に面し、且つ当該開口部との間に所定の間隔をおいて衝立が設置されていることを特徴としている。
【０００７】
更に、請求項２に記載の発明は、請求項１に記載の発明において、
前記衝立の面積は、前記開口部の面積以上であることを特徴としている。
【０００８】
更に、請求項３に記載の発明は、請求項１又は２に記載の発明において、
前記衝立と開口部との間の間隔は、当該開口部の開口幅以下であることを特徴としている。
【０００９】
更に、請求項４に記載の発明は、請求項１〜３の何れか一項に記載の発明において、
前記衝立は、前記側と同一の基材で形成されていることを特徴としている。
【００１０】
更に、請求項５に記載の発明は、請求項１〜４の何れか一項に記載の発明において、
前記衝立の色は、前記側壁の色と同系色であることを特徴としている。
【００１１】
更に、請求項６に記載の発明は、請求項１〜５の何れか一項に記載の発明において、
前記衝立に照明手段が設けられたことを特徴としている。
【００１２】
更に、請求項７に記載の発明は、請求項６に記載の発明において、
前記衝立に設けられた照明手段から照射される照明光の発光色は、前記側壁に設けられた照明手段から照射される照明光の発光色と同系色であることを特徴としている。
【００１３】
更に、請求項８に記載の発明は、請求項１〜７の何れか一項に記載の発明において、
前記衝立が、着脱自在に設置されていることを特徴としている。
【００１４】
更に、請求項９に記載の発明は、請求項１〜７の何れか一項に記載の発明において、
前記衝立が、前記側壁と一体に設置されていることを特徴としている。
【発明の効果】
【００１５】
請求項１に記載の発明によれば、衝立により、開口部から撮影空間内に入射される外部の光を遮ることが可能であるため、装置外部の写りこみと外部からの光により被写体への照射を防止することができ、違和感のない安定した品質の写真を撮影することができる。
【００１６】
請求項２に記載の発明によれば、衝立の面積を、開口部の面積以上とすることができる。これにより、開口部から撮影空間内に入射される外部の光を、より確実に遮ることができる。
【００１７】
請求項３に記載の発明によれば、衝立と開口部との間の間隔を、当該開口部の開口幅以下とすることができる。これにより、開口部から撮影空間内に入射される外部の光を、より確実に遮ることができる。
【００１８】
請求項４に記載の発明によれば、衝立を、側壁と同一の基材で形成することができる。これにより、違和感のない写真を撮影することができる。
【００１９】
請求項５に記載の発明によれば、衝立の色を、側壁の色と同系色とすることができる。これにより、違和感のない写真を撮影することができる。
【００２０】
請求項６に記載の発明によれば、衝立に照明手段を設けることができる。これにより、違和感のない写真を撮影することができる。また、衝立からの照明光により被写体を照明することができる。
【００２１】
請求項７に記載の発明によれば、衝立に設けられた照明手段から照射される照明光の発光色を、側壁に設けられた照明手段から照射される照明光の発光色と同系色とすることができる。これにより、違和感のない安定した品質の写真を撮影することができる。
【００２２】
請求項８に記載の発明によれば、衝立を着脱自在にすることにより、移動時の可搬性が良くなり、且つ、より効果的な位置に衝立を移動することができる。
【００２３】
請求項９に記載の発明によれば、衝立を側壁と一体に設置できることにより、乳幼児の保護を行えるため、より安全に写真を撮影することができる。
【発明を実施するための最良の形態】
【００２４】
以下、本発明を実施するための最良の形態について図面を用いて説明する。ただし、本発明の範囲は、図示例に限定されないものとする。
【００２５】
＜第１の実施形態＞
図１に本第１の実施形態における写真スタジオ装置１００の概略図を示す。
図１に示すように、写真スタジオ装置１００は、右側壁１と左側壁２と後部壁３と前部壁４とを矩形状に組立てて、その上部に拡散部材５、蛍光灯６１及びこの蛍光灯６１を支える支柱６ａ〜６ｄからなる照明部材６、衝立７等から構成されている。
【００２６】
右側壁１と左側壁２と後部壁３と前部壁４とにより囲まれた撮影空間Ｓには、カーペット等の敷物が敷かれ、その敷物の上に例えば乳幼児である被写体が上がる。上記のように右側壁１と左側壁２と後部壁３と前部壁４とは箱状に組立てられており、前部壁４の一部に撮影空間Ｓの内外に通じる開口部Ｅが形成されている。また、撮影空間Ｓの外部で、且つ、開口部Ｅに面する位置には衝立７が、開口部Ｅと所定の間隔を隔てて設置されている。被写体及び撮影者は、開口部Ｅから撮影空間Ｓに上がり、この撮影空間Ｓ内で撮影を行うようになっている。なお、衝立７は写真スタジオ装置の開口部Ｅに対して大きさが略同一の場合には、外光の入線方向に対してより効果的な位置に配置することが好ましい。このような状況の一例としては、開口部Ｅが南向きの場合、太陽の位置が一日を通して変化するが、衝立７の設置位置を移動することにより、この太陽の移動に対して出来るだけ小さな面積の衝立で外光の入射を効果的に防ぐことが可能となり、コストの点でもスペース面でも効率的となる。
【００２７】
この写真スタジオ装置１００は什器式であり、各構成部分に分解し、既存の建物内に例えばエレベータ等を使用して搬入し、搬入後に図１に示す状態に組立てることができる。
【００２８】
拡散部材５は、薄板を網目状に組み合わせた多孔形状にて構成され、この多孔によって写真スタジオ装置１００の内側と外部との換気が写真スタジオ装置１００の上方においても可能なようにされている。なお、拡散部材５を構成する多孔のそれぞれは矩形であってもよいし、円形でも、ハニカム形状でも、その他の多角形でもよい。また、写真スタジオ装置１００は、上方に拡散部材５及び照明部材６以外のものを有しないため、上方に開口することになるが、この開口部の開口率は７０％以上となることが好ましい。
【００２９】
照明部材６の蛍光灯６１から発せられた光は、拡散部材５の多孔の壁面により拡散される。すなわち、拡散部材５の上下方向における厚さによって照明部材６からの光が拡散されることにより、撮影空間Ｓに照射される照明光の照明ムラを解消することができる。なお、拡散部材５を構成する薄板としては、例えば白色のアクリル板を用いることができる。
【００３０】
また、壁面に設けられた蛍光灯から拡散板を透過した照明光の一部は、写真スタジオ装置１００の上部に設けられた拡散部材５の写真スタジオ装置１００内部に対抗する面に向かって光路をとるが、その多くは、拡散部材５が多数の開口を有するため、写真スタジオ装置１００の内部から外部へと抜けることになる。これにより、写真スタジオ装置１００があたかも実際以上に高くなったように体感できるという効果が得られる。そして、感じる高さの調節は拡散部材５の開口率を調整することで可能であり、開口率が大きくなればより高さを感じることができ、逆に開口率が小さくなれば実際の拡散部材５の高さにより近く感じることになる。つまり、省スペースでありながらも上部空間が必要以上に広く感じることができる写真スタジオ装置１００を提供することができる。
【００３１】
図２は、図１に示した写真スタジオ装置１００から拡散部材５及び照明部材６を除いた平面図である。
【００３２】
図２に示すように、右側壁１は、内壁部材１１と、この内壁部材１１の背面側に配置された複数の蛍光灯１２、さらに外側に配置された外壁部材１３と、を備えて構成されている。
【００３３】
また、左側壁２は、内壁部材２１と、この内壁部材２１の背面側に配置された複数の蛍光灯２２、さらに外側に配置された外壁部材２３と、を備えて構成されている。
【００３４】
また、後部壁３は、内壁部材３１と、この内壁部材３１の背面側に配置された複数の蛍光灯３２、さらに外側に配置された外壁部材３３と、を備えて構成されている。
【００３５】
さらに、前部壁４は、内壁部材４１と、この内壁部材４１の背面側に配置された複数の蛍光灯４２、さらに外側に配置された外壁部材４３と、を備えて構成されている。
【００３６】
内壁部材１１、２１、３１、４１を形成する基材は、乳白色で光透過性を有する平面状の板材であって、これら内壁部材１１、２１、３１、４１により撮影空間Ｓが形成される。この内壁部材１１、２１、３１、４１としては、例えば、アクリルやポリカーボネート等を用いることができる。内壁部材１１、２１、３１、４１により蛍光灯１２、２２、３２、４２からの光が拡散され、この拡散された光が照明光として被写体を照明するようになっている。なお、内壁部材１１、２１、３１、４１の色は同一であることが好ましく、蛍光灯１２、２２、３２、４２の発光色、光量等が同一であることがより好ましい。
【００３７】
衝立７は、内壁部材７１と、この内壁部材７１の背面側に配置された複数の蛍光灯７２、さらに外側に配置された外壁部材７３と、を備えて構成されている。なお、この衝立７の高さは、右側壁１、左側壁２、後部壁３、前部壁４の高さ（例えば、２ｍ）と同程度であることが好ましい。
【００３８】
衝立７は、上述したように撮影空間Ｓの外部に、開口部Ｅに面し、且つ当該開口部Ｅとの間に所定の間隔Ｌをおいて着脱自在に設置されている。なお、衝立７と開口部Ｅとの間の間隔Ｌは開口部Ｅの開口幅Ｅ１以下であることが好ましく、衝立７の面積は、開口部Ｅの面積以上となることが好ましい。
【００３９】
これにより、開口部Ｅから撮影空間Ｓ内に入射される外部の光を遮ることが可能となり、撮影空間Ｓの所定位置において開口部Ｅ方向を撮影した際の、装置外部の風景の写りこみを防止することが可能となる。
【００４０】
また、衝立７の内壁部材７１は、内壁部材１１、２１、３１、４１と同一の板材により形成されている。この内壁部材７１の色は、内壁部材１１、２１、３１、４１の色と同系色となっており、蛍光灯７２から照射される照明光の発光色は、蛍光灯１２、２２、３２、４２から照射される照明光と同系色となっている。
【００４１】
以上のように、本第１の実施形態の写真スタジオ装置１００によれば、衝立７により、開口部Ｅから撮影空間Ｓ内に入射される外部の光を遮ることが可能であるため、装置外部の写りこみと外部からの光により被写体への照射を防止しすることができ、違和感のない安定した品質の写真を撮影することができる。また、朝や昼、夕方、夜のように時間帯により本装置外部から差し込んで来る光の入射を防ぐことができるため、外部からの入射光による撮影空間Ｓ内の色温度の変化を防止することが可能となり、違和感のない安定した品質の写真を撮影することができる。
【００４２】
なお、本第１の実施形態では、衝立７を一の平面で形成することとしたが、これに限らず、図３（ａ）に示すように、複数の平面を組み合わせて形成してもよいし、図３（ｂ）に示すように、曲面で形成してもよい。また、平面及び曲面の組み合わせで形成してもよい。
【００４３】
また、図４に示すように前部壁４及び衝立７の間に、遮光カーテン等の遮光幕Ｃを設けることとしてもよく、この場合、開口部Ｅ側の遮光幕Ｃの色は内壁部材１１、２１、３１、４１の色又は内壁部材７１の色と同系色であることが好ましい。
【００４４】
また、本第１の実施形態では、衝立７を被写体に対し照明光を照射する発光壁とすることとしたが、これに限らず、図５に示すように、蛍光灯７２を有しない態様としてもよい。この場合、衝立７を形成する部材は、特に限定されず、単一の部材により形成されていてもよいし、内壁部材７１及び外壁部材７３により形成されていてもよい。なお、衝立７の色は、内壁部材１１、２１、３１、４１の色と同系色とであることが好ましい。ここで、同系色とは、同一色名で呼ばれる程度の色としてもよいが、マンセルの色相環で色相、彩度、明度でともにプラスマイナス５程度の差に入る色であることがより好ましい。
【００４５】
また、本第１の実施形態では、撮影空間Ｓを右側壁１、左側壁２、後部壁３、前部壁４の４つの平面で形成することとしたが、これに限らず、図６に示すように、円筒状の壁面（以下、円筒壁８という）により形成することとしてもよい。この場合、円筒壁８は、上述した右側壁１等と同様、内壁部材８１と、この内壁部材８１の背面側に配置された複数の蛍光灯８２、さらに外側に配置された外壁部材８３と、を備えて構成されるものとする。なお、内壁部材８１は、曲面状の単一基材から形成されることとしてもよいし、曲面状の基材を複数組み合わせて形成されることとしてもよい。
【００４６】
＜第２の実施形態＞
次に、本発明を適用した第２の実施形態について説明する。
第１の実施形態では、衝立７を着脱自在に設けられていたが、本第２の実施形態では、衝立７が撮影空間Ｓを形成する側壁と一体に設けられている。なお、説明の簡略化のため、上述した第１の実施形態と同一な構成については同一の符号を付して説明を省略し、第２の実施形態に特徴的な部分のみを説明する。
【００４７】
図７は、本第２の実施形態における写真スタジオ装置１００斜視図である。同図に示すように、写真スタジオ装置１００は、右側壁１、左側壁２、後部壁３、衝立７により形成されている。なお、写真スタジオ装置１００には、拡散部材及び照明部材が設けられているが、第1の実施形態で説明した拡散部材５及び照明部材６と同様であるため、図示及び説明を省略する。
【００４８】
右側壁１と左側壁２と後部壁３により囲まれた撮影空間Ｓには、カーペット等の敷物が敷かれ、その敷物の上に例えば乳幼児である被写体が上がる。上記のように右側壁１と左側壁２と後部壁３と前部壁４とはコの字状に組立てられている。また、側壁（右側壁１、左側壁２、後部壁３）の一部に撮影空間Ｓの内外に通じる開口部Ｅが形成されている。被写体及び撮影者は、この開口部Ｅから、撮影空間Ｓに上がり、この撮影空間Ｓ内で撮影を行うようになっている。また、右側壁１の端部は、衝立７に向けて延設されており、延設部１４が形成されている。なお、左側壁２の端部も右側壁１同様、衝立７に向けて延設されており、延設部２４が形成されているものとする。
【００４９】
衝立７は、撮影空間Ｓの外部に、開口部Ｅに面し、且つ当該開口部Ｅとの間に所定の間隔をおいて延設部１４及び２４と一体に設置されている。なお、衝立７と開口部Ｅとの間の間隔Ｌは開口部Ｅの開口幅Ｅ１以下であることが好ましく、衝立７の面積は、開口部Ｅの面積以上となることが好ましい。また、本実施の形態では、衝立７を、右側壁１及び左側壁２の両端部と一体に設置することとしたが、これに限らず、何れか一方の側壁と一体に設置することとしてもよい。
【００５０】
これにより、開口部Ｅから撮影空間Ｓ内に入射される外部の光を遮ることが可能となり、撮影空間Ｓの所定位置において開口部Ｅ方向を撮影した際の、装置外部の風景の写りこみを防止することが可能となる。
【００５１】
延設部１４、２４の高さは、右側壁１、左側壁２の高さ（例えば、２ｍ）より低く形成されており、撮影者が跨ぐことができる程度で且つ被写体となる乳幼児が容易に乗り越えることのできない程度の高さ（例えば、３０ｃｍ〜６０ｃｍ）であることが好ましい。
【００５２】
以上のように、本第２の実施形態の写真スタジオ装置１００によれば、衝立７により、開口部Ｅから撮影空間Ｓ内に入射される外部の光を遮ることが可能であるため、装置外部の写りこみと外部からの光により被写体への照射を防止しすることができ、違和感のない安定した品質の写真を撮影することができる。
【００５３】
なお、本第２の実施形態では、撮影空間Ｓを右側壁１、左側壁２、後部壁３の３つの平面で形成することとしたが、これに限らず、図８に示すように、円筒状の円筒壁８により形成することとしてもよく、この場合、衝立７は、円筒壁８の端部から延設された延設部８４と一体に設置されることになる。なお、同図では、衝立７を、曲面で形成することとしたが、これに限らず、一の平面で形成することとしてもよいし、複数の平面を組み合わせて形成してもよいし、また、平面及び曲面の組み合わせで形成してもよい。
【００５４】
本発明は、上記実施形態に限定されることなく、本発明の趣旨を逸脱しない範囲において、種々の改良並びに設計の変更を行ってもよい。
【図面の簡単な説明】
【００５５】
【図１】第１の実施形態における写真スタジオ装置の斜視図である。
【図２】図１に示した写真スタジオ装置の平面図である。
【図３】第１の実施形態における写真スタジオ装置の他の態様を示した平面図であって、（ａ）複数の平面を組み合わせて形成された衝立を示した平面図であり、（ｂ）曲面で形成された衝立を示した平面図である。
【図４】第１の実施形態における写真スタジオ装置の他の態様を示した平面図である。
【図５】第１の実施形態における写真スタジオ装置の他の態様を示した平面図である。
【図６】第１の実施形態における写真スタジオ装置の他の態様を示した平面図である。
【図７】第２の実施形態における写真スタジオ装置の斜視図である。
【図８】第２の実施形態における写真スタジオ装置の他の態様を示した斜視図である。
【符号の説明】
【００５６】
１００  写真スタジオ装置
１  右側壁
１１  内壁部材
１２  蛍光灯
１３  外壁部材
１４  延設部
２  左側壁
２１  内壁部材
２２  蛍光灯
２３  外壁部材
２４  延設部
３  後部壁
３１  内壁部材
３２  蛍光灯
３３  外壁部材
４  前部壁
４１  内壁部材
４２  蛍光灯
４３  外壁部材
５  拡散部材
６  照明部材
６ａ  支柱
６ｂ  支柱
６ｃ  支柱
６ｄ  支柱
６１  蛍光灯
７  衝立
７１  内壁部材
７２  蛍光灯
７３  外壁部材
８  円筒壁
８１  内壁部材
８２  蛍光灯
８３  外壁部材
８４  延設部
Ｓ  撮影空間
Ｅ  開口部
Ｃ  遮光幕
【図１】
2006349919.tif 000003
【図２】
2006349919.tif 000004
【図３】
2006349919.tif 000005
【図４】
2006349919.tif 000006
【図５】
2006349919.tif 000007
【図６】
2006349919.tif 000008
【図７】
2006349919.tif 000009
【図８】
2006349919.tif 000010